(57)【要約】【課題】部品数が少なく、コンパクトで簡単な構造を有し、低コストで製造可能なベルト用バックルを提供する。【解決手段】断面がコ字状のベース部材１の底壁２と断面がコ字状のカバー部材９の上壁１０の内面同士が向き合う配置でベース部材の一端１ａがカバー部材の一対の側壁１１ａ、１１ｂ間に嵌め込まれた状態で、カバー部材が、側壁において、ベース部材の一端にベース部材の幅方向にのびる軸のまわりに旋回可能に連結される。ベース部材の一端には、カバー部材と協働してベルトの先端部を係止する係合歯４が、底壁の端縁に設けられて底壁の内面２ａから突出し、ベース部材の他端１ｂには、ベース部材の底壁と協働してベルトの基端を係止する係止部材５が、ベース部材の一対の垂直壁３ａ、３ｂ間に取り付けられる。【選択図】図１
0003194710.tif 000002
【実用新案登録請求の範囲】
【請求項１】
ベルトの幅に対応する幅を有する底壁と、前記底壁の両側縁に一体形成された一対の垂直壁とからなる断面がコ字状のベース部材を備え、
前記ベース部材の一端には、係合歯が前記底壁の端縁に設けられて当該端縁に沿ってのびかつ前記底壁の内面から突出し、前記ベース部材の他端には、係止部材が、前記底壁の内面から間隔をあけた状態で前記一対の垂直壁間に嵌め込まれるとともに、前記係合歯から遠い方の端において前記一対の側壁に対し前記ベース部材の幅方向にのびる軸のまわりに旋回可能に取り付けられて、前記底壁にほぼ平行となる傾倒位置と、前記傾倒位置から外向きに旋回した起立位置とをとり、
前記係止部材の前記係合歯から遠い方の端には、その端縁に沿って、係止歯が設けられ、前記係止部材が前記起立位置にあるとき、前記係止歯は前記底壁に対して平行になりまたは前記底壁から逸れる向きにのび、それによって、前記ベルトの基端が前記ベース部材の他端側から前記一対の垂直壁に沿って前記ベース部材に挿入可能とされる一方、前記係止部材が前記傾倒位置にあるときは、前記係止歯は前記ベース部材の前記底壁に向かってのびて前記ベルトの基端に食い込み、それによって、前記ベルトの基端が前記係止部材および前記ベース部材間に挟持され、さらに、
前記ベース部材よりも長く、前記ベース部材の幅に対応する幅をもつ上壁と、前記上壁の両側縁に一体形成された一対の側壁とを有する断面がコ字状のカバー部材を備え、
前記ベース部材の前記底壁と前記カバー部材の前記上壁の内面同士が向き合う配置で前記ベース部材の一端が前記カバー部材の一対の側壁間に嵌め込まれた状態で、前記カバー部材が、前記側壁において、前記ベース部材の一端に前記ベース部材の幅方向にのびる軸のまわりに旋回可能に連結され、前記カバー部材の前記ベース部材との連結部が前記カバー部材の長さ方向のほぼ中央に位置していて、前記カバー部材は、前記上壁が前記ベース部材の前記底壁とほぼ平行になって前記底壁の内面の全体を被覆する閉じた位置と、前記ベース部材の前記底壁に対して傾斜してのびて前記底壁の内面を露出させる開いた位置とをとり、
前記カバー部材が前記閉じた位置をとるとき、前記ベース部材の一端側から前記カバー部材の前記一対の側壁に沿って前記カバー部材に挿通された前記ベルトの先端部に前記係合歯が食い込むことによって、前記ベルトの先端部が前記ベース部材および前記カバー部材間に固定されるが、前記カバー部材が前記開いた位置をとるときは、前記ベルトの先端部の前記固定が解除されるものであることを特徴とするベルト用バックル。
【請求項２】
前記係合歯は、前記ベース部材の幅方向に沿って鋸歯状をなしているとともに、前記ベース部材の幅方向に垂直な断面において、前記ベース部材の前記底壁から遠ざかる向きに先細りとなる楔形状を有していることを特徴とする請求項１に記載のベルト用バックル。
【請求項３】
前記係合歯が前記ベース部材に一体形成されていることを特徴とする請求項１または請求項２に記載のベルト用バックル。
【請求項４】
前記係合歯が前記ベース部材とは別個に形成されて、前記ベース部材に固定されていることを特徴とする請求項１または請求項２に記載のベルト用バックル。
【請求項５】
前記係止部材は板状に形成され、前記係止部材における前記係合歯から遠い方の端は、その全長にわたって前記係止部材の長さ方向に前記ベース部材の前記底壁に対向する面側に屈曲するとともに、先端縁が鋸歯状に形成され、この屈曲部が前記係止歯をなし、
前記係止部材における前記屈曲部の基端の両側縁に一対の支持突起が形成され、前記一対の支持突起は前記係止部材の幅方向に整列して配置され、前記ベース部材の前記一対の垂直壁の前記係合歯から遠い方の端にはそれぞれ前記ベース部材の幅方向に整合する位置に差込穴が形成され、前記係止部材は、前記支持突起が対応する前記差込穴に差し込まれることによって、前記ベース部材の前記垂直壁に対し前記支持突起の軸のまわりに旋回可能に取り付けられ、
前記係止部材における前記係止歯と反対側の端が、その全長にわたって前記係止部材の長さ方向に前記ベース部材の前記底壁に対向する面側にほぼ直角に屈曲していることを特徴とする請求項１〜請求項４のいずれかに記載のベルト用バックル。
【考案の詳細な説明】
【技術分野】
【０００１】
本考案は、ベルトを身体の腰まわり等に締付けて固定するためのバックルに関する。
【背景技術】
【０００２】
従来のベルト用バックルとして、例えば、基板の両側部に一対の支承片が立設され、各支承片に第１軸支承孔が形成されたバックル本体と、別の基板の両側に一対の支承片が立設され、各支承片に第２軸支承孔が形成された止着体と、連結板の両端にそれぞれ表裏逆方向に突出する第１係止片および第２係止片が突設され、両係止片の両側端に第１支承突軸および第２支承突軸が設けられた掛止体とからなり、掛止体の第１支承突軸がバックル本体の第１軸支承孔に、第２支承突軸が止着体の第２軸支承孔に回動可能に枢着され、バックル本体の基板の前端縁が第１軸支承孔より大きく前方へ延出せしめられるとともに、止着体の基板の後端縁が第２軸支承孔より大きく後方へ延出せしめられ、それぞれの端縁がベルトに当接するようにしたものがある（例えば、特許文献１参照）。
【０００３】
この構成によれば、バックルの部品点数が少なくて済み、バックルの構成が簡単化されるので、バックルを安価で提供することができる。
しかし、その一方で、この構成では、ベルトの一端側を、バックル本体によって、掛止体に対しほぼ垂直に起立した状態で固定された第１の係止爪に押しつけることで、第１の係止爪およびバックル本体間に係止し、ベルトの他端側を、止着体によって、掛止体に対しほぼ垂直に起立した状態で固定された第２の係止爪に押しつけることによって、第２の係止爪および止着体間に係止するので、ベルトの材質や厚みによっては、第１および第２の係止爪がうまくベルトに食い込まない場合がある。
【０００４】
そのため、バックル本体の基板の裏面および止着体の基板の内面にそれぞれ係止突条を設けて、ベルトの係止を確実に行うようにしており、それによって、バックル本体および止着体の形状が複雑になり、部品の加工コストが嵩んでしまうという欠点がある。
また、バックル本体の基板の前端縁が第１軸支承孔より大きく前方へ延出すると共に、止着体の基板の後端縁が第２軸支承孔より大きく後方に延出する必要があり、そのため、バックルが一定の長さを有していなければならず、バックルをコンパクト化することができなかった。
【先行技術文献】
【特許文献】
【０００５】
【特許文献１】実公平６−６７２８号公報
【考案の概要】
【考案が解決しようとする課題】
【０００６】
したがって、本考案の課題は、部品数が少なく、コンパクトで簡単な構造を有し、低コストで製造可能なベルト用バックルを提供することにある。
【課題を解決するための手段】
【０００７】
上記課題を解決するため、本考案は、ベルトの幅に対応する幅を有する底壁と、前記底壁の両側縁に一体形成された一対の垂直壁とからなる断面がコ字状のベース部材を備え、前記ベース部材の一端には、係合歯が前記底壁の端縁に設けられて当該端縁に沿ってのびかつ前記底壁の内面から突出し、前記ベース部材の他端には、係止部材が、前記底壁の内面から間隔をあけた状態で前記一対の垂直壁間に嵌め込まれるとともに、前記係合歯から遠い方の端において前記一対の側壁に対し前記ベース部材の幅方向にのびる軸のまわりに旋回可能に取り付けられて、前記底壁にほぼ平行となる傾倒位置と、前記傾倒位置から外向きに旋回した起立位置とをとり、前記係止部材の前記係合歯から遠い方の端には、その端縁に沿って、係止歯が設けられ、前記係止部材が前記起立位置にあるとき、前記係止歯は前記底壁に対して平行になりまたは前記底壁から逸れる向きにのび、それによって、前記ベルトの基端が前記ベース部材の他端側から前記一対の垂直壁に沿って前記ベース部材に挿入可能とされる一方、前記係止部材が前記傾倒位置にあるときは、前記係止歯は前記ベース部材の前記底壁に向かってのびて前記ベルトの基端に食い込み、それによって、前記ベルトの基端が前記係止部材および前記ベース部材間に挟持され、さらに、前記ベース部材よりも長く、前記ベース部材の幅に対応する幅をもつ上壁と、前記上壁の両側縁に一体形成された一対の側壁とを有する断面がコ字状のカバー部材を備え、前記ベース部材の前記底壁と前記カバー部材の前記上壁の内面同士が向き合う配置で前記ベース部材の一端が前記カバー部材の一対の側壁間に嵌め込まれた状態で、前記カバー部材が、前記側壁において、前記ベース部材の一端に前記ベース部材の幅方向にのびる軸のまわりに旋回可能に連結され、前記カバー部材の前記ベース部材との連結部が前記カバー部材の長さ方向のほぼ中央に位置していて、前記カバー部材は、前記上壁が前記ベース部材の前記底壁とほぼ平行になって前記底壁の内面の全体を被覆する閉じた位置と、前記ベース部材の前記底壁に対して傾斜してのびて前記底壁の内面を露出させる開いた位置とをとり、前記カバー部材が前記閉じた位置をとるとき、前記ベース部材の一端側から前記カバー部材の前記一対の側壁に沿って前記カバー部材に挿通された前記ベルトの先端部に前記係合歯が食い込むことによって、前記ベルトの先端部が前記ベース部材および前記カバー部材間に固定されるが、前記カバー部材が前記開いた位置をとるときは、前記ベルトの先端部の前記固定が解除されるものであることを特徴とするベルト用バックルを構成したものである。
【０００８】
上記構成において、好ましくは、前記係合歯は、前記ベース部材の幅方向に鋸歯状をなしているとともに、前記ベース部材の幅方向に垂直な断面において、前記ベース部材の前記底壁から遠ざかる向きに先細りとなる楔形状を有している。
また上記構成において、前記係合歯が前記ベース部材の前記底壁に一体形成されていてもよいし、あるいは、前記係合歯が前記ベース部材とは別個に形成されて、前記ベース部材に固定されていてもよい。
【０００９】
また好ましくは、前記係止部材は板状に形成され、前記係止部材における前記係合歯から遠い方の端は、その全長にわたって前記係止部材の長さ方向に前記ベース部材の前記底壁に対向する面側に屈曲するとともに、先端縁が鋸歯状に形成され、この屈曲部が前記係止歯をなし、前記係止部材における前記屈曲部の基端の両側縁に一対の支持突起が形成され、前記一対の支持突起は前記係止部材の幅方向に整列して配置され、前記ベース部材の前記一対の垂直壁の前記係合歯から遠い方の端にはそれぞれ前記ベース部材の幅方向に整合する位置に差込穴が形成され、前記係止部材は、前記支持突起が対応する前記差込穴に差し込まれることによって、前記ベース部材の前記垂直壁に対し前記支持突起の軸のまわりに旋回可能に取り付けられ、前記係止部材における前記係止歯と反対側の端が、その全長にわたって前記係止部材の長さ方向に前記ベース部材の前記底壁に対向する面側にほぼ直角に屈曲している。
【考案の効果】
【００１０】
本考案によれば、断面がコ字状のベース部材の底壁と断面がコ字状のカバー部材の上壁の内面同士が向き合う配置でベース部材の一端をカバー部材の一対の側壁間に嵌め込んだ状態で、カバー部材を、側壁において、ベース部材の一端にベース部材の幅方向にのびる軸のまわりに旋回可能に連結し、ベース部材の一端には、カバー部材と協働してベルトの先端部を係止する係合歯を、底壁の端縁に設けて底壁の内面から突出させ、ベース部材の他端には、ベース部材の底壁と協働してベルトの基端を係止する係止部材を、ベース部材の一対の垂直壁間に取り付けるようにしたので、ベルト用バックルの部品点数を減らし、バックルの構造を簡単にすることができ、その結果、バックルを低コストで製造することができる。
【００１１】
また、カバー部材のベース部材との連結点をカバー部材の長さ方向のほぼ中央に位置させているので、ベルトが身体の腰まわり等に装着されてカバー部材が閉じた位置にあるとき、カバー部材の連結点に関してベース部材と反対側の部分が、連結点を支点とするてこの力点側の腕として機能し、常時カバー部材を閉じた位置に向けて付勢する回転モーメントを生じさせるので、ベルトがバックルに確実に固定され、ベルトが容易に外れてしまうことがなく、一方、ベルトの装着状態において、ベルトの先端部を手で持ってカバー部材が開いた位置へ旋回する向きに引っ張れば、容易に、前記回転モーメントと反対向きの、より大きな回転モーメントを生じさせて、カバー部材を開いた位置まで旋回させることができ、ベルトを取り外すことができる。
【００１２】
さらに、本考案によれば、ベルトの基端およびベルトの先端部をいずれもベース部材の底壁の内面側において係止（固定）するようにし、さらに、カバー部材のベース部材との連結点をカバー部材の長さ方向のほぼ中央に位置させる構成としているので、バックルを必要最小限の長さにすることができ、バックルがコンパクトになる。
【図面の簡単な説明】
【００１３】
【図１】本考案の１実施例によるベルト用バックルの分解斜視図である。
【図２】図１に示したバックルが組み立てられた状態の斜視図であり、（Ａ）はカバー部材側から見たものであり、（Ｂ）はベース部材側から見たものである。
【図３】図１に示したバックルの側断面図であり、（Ａ）はカバー部材が開いた位置にある状態を示し、（Ｂ）は（Ａ）の要部を拡大したものであり、（Ｃ）はカバー部材が閉じた位置にある状態を示している。
【図４】本考案の別の実施例によるベルト用バックルの図１に類似の分解斜視図である。
【考案を実施するための形態】
【００１４】
以下、添付図面を参照して本考案の好ましい実施例について説明する。
図１は、本考案の１実施例によるベルト用バックルの分解斜視図であり、図２は、図１に示したバックルが組み立てられた状態の斜視図であり、図３は、図１に示したバックルの側断面図である。
【００１５】
図１〜図３を参照して、本考案によるベルト用バックルは、ベルトの幅に対応する幅を有する底壁２と、底壁２の両側縁に一体形成された一対の垂直壁３ａ、３ｂとからなる断面がコ字状のベース部材１を備えている。
【００１６】
そして、ベース部材１の一端１ａには、係合歯４が底壁２の端縁に設けられて当該端縁に沿ってのびかつ底壁２の内面２ａから突出している。係合歯４は、この実施例では、ベース部材１の底壁２に一体形成され、図１に示すように、ベース部材１の幅方向に鋸歯状をなしているとともに、図３に示すように、ベース部材１の幅方向に垂直な断面において、底壁２から遠ざかる向きに先細り状となる楔形状を有している。
係合歯４は、また、ベース部材１の軸方向にのびる貫通穴４ａを有している。
ベース部材１および係合歯４は、この実施例では、合成樹脂製であることが好ましい。
【００１７】
ベース部材１の他端１ｂには、係止部材５が、底壁２の内面２ａから間隔をあけた状態で一対の垂直壁３ａ、３ｂ間に嵌め込まれるとともに、係合歯４から遠い方の端５ａにおいて一対の側壁３ａ、３ｂに対しベース部材１の幅方向にのびる軸のまわりに旋回可能に取り付けられて、底壁２にほぼ平行となる傾倒位置と、傾倒位置から外向きに旋回した起立位置をとるようになっている。係止部材５は、好ましくは金属製である。
【００１８】
係止部材５の係合歯４から遠い方の端５ａには、その端縁に沿って係止歯６が設けられている。
この実施例では、係止部材５は板状に形成されている。そして、係止部材５の端５ａが、その全長にわたって係止部材５の長さ方向にベース部材１の底壁２の内面２ａに対向する面側に屈曲するとともに、先端縁が鋸歯状に形成され、この屈曲部が係止歯６をなしている。
【００１９】
係止部材５における係止歯（屈曲部）６の基端の両側縁には、一対の支持突起７ａ、７ｂが設けられ、一対の支持突起７ａ、７ｂは係止部材５の幅方向に整列して配置されている。
一方、ベース部材１の一対の垂直壁３ａ、３ｂのそれぞれの係合歯４から遠い方の端には、ベース部材１の幅方向に整合する位置に差込穴８ａ、８ｂが形成されている。
【００２０】
そして、係止部材５は、図２および図３（Ｂ）に示すように、支持突起７ａ、７ｂが対応する差込穴８ａ、８ｂに差し込まれることによって、ベース部材１の垂直壁３ａ、３ｂに対し支持突起７ａ、７ｂの軸のまわりに旋回可能に取り付けられている。
【００２１】
また、図１および図３から明らかなように、この実施例では、係止部材５の係止歯６と反対側の端５ｂが、その全長にわたって係止部材５の長さ方向にベース部材１の底壁２の内面２ａに対向する面側にほぼ直角に屈曲している（屈曲部５ｃ）。
【００２２】
そして、図３（Ｂ）に示すように、係止部材５が起立位置にあるとき（図３（Ｂ）の実線で示した）、係止歯６はベース部材１の底壁２に対して平行になりまたは底壁２から逸れる向きにのび、それによって、ベルト１８の基端１８ａがベース部材１の他端１ｂ側から一対の垂直壁３ａ、３ｂに沿ってベース部材１内に挿入可能とされる一方、係止部材５が傾倒位置にあるとき（図３（Ｂ）の一点鎖線で示した）、係止歯６はベース部材１の底壁２に向かってのびてベルト１８の基端１８ａに食い込み、それによってベルト１８の基端１８ａが係止部材５およびベース部材１間に挟持される。
【００２３】
なお、この実施例では、底壁２の内面２ａの、ベース部材１の他端１ｂ側に、筋状の隆起部１ｃが設けられてベース部材１の幅方向にのびている。この隆起部１ｃは、係止部材５およびベース部材１間でのベルト１８の基端１８ａの固定をより確実にするためのものであるが、本願考案に必須の構成要素ではなく、必要に応じて設けられる。
【００２４】
図１および図２に示すように、本考案によるベルト用バックルは、さらに、ベース部材１よりも長く、ベース部材１の幅に対応する幅をもつ上壁１０と、上壁１０の両側縁に一体形成された一対の側壁１１ａ、１１ｂとを有する断面がコ字状のカバー部材９を備えている。カバー部材９は、好ましくは、金属製である。
カバー部材９の長さ方向のほぼ中央であって、一対の側壁１１ａ、１１ｂの互いにカバー部材９の幅方向に整合する位置には、止め穴１２ａ、１２ｂが設けられている。
【００２５】
そして、ベース部材１の底壁２とカバー部材９の上壁１０の内面同士が向き合う配置でベース部材１の一端７ａ（この実施例では、ベース部材１の係合歯４の部分）がカバー部材９の一対の側壁１１ａ、１１ｂ間に嵌め込まれ、係合歯４の貫通穴４ａが側壁１１ａ、１１ｂの止め穴１２ａ、１２ｂに整合した状態で、リベット１３が一方の止め穴１２ａから差し込まれ、リベット１３の他方の止め穴１２ｂから突出した部分がつぶされる。それによって、カバー部材９が、その側壁１１ａ、１１ｂにおいて、ベース部材１に対して、リベット１３の軸、よってベース部材１の幅方向にのびる軸のまわりに旋回可能に連結される。
【００２６】
こうして、図３に示すように、カバー部材９は、上壁１０がベース部材１の底壁２とほぼ平行になって底壁２の内面２ａの全体を被覆する閉じた位置（図３（Ｃ）参照）と、ベース部材１の底壁２に対して傾斜してのびて底壁２の内面２ａを露出させる開いた位置（図３（Ａ）参照）の２つの位置をとるようになっている。
【００２７】
なお、この実施例では、図２に示すように、ベース部材１の一対の垂直壁３ａ、３ｂ間の間隔とカバー部材９の一対の側壁１１ａ、１１ｂ間の間隔が等しくなっていて、カバー部材９が閉じた位置をとるとき、カバー部材９の側壁１１ａ、１１ｂとベース部材１の対応する垂直壁３ａ、３ｂの上端面同士が当接するようになっている。
【００２８】
また、この実施例では、図１および図２からわかるように、カバー部材９が閉じた位置をとったときの、カバー部材９のベース部材１との連結点（リベット１３）に関してベース部材１側の部分９ａには、その上壁１０に２つの装飾用開口１４がカバー部材９の幅方向に間隔をあけて設けられ、ベース部材１との連結点に関してベース部材１と反対側の部分９ｂは、上壁１０の外面が矩形状に窪んでいる（凹部１５）。この凹部１５には、凹部１５と同じ寸法の矩形状の装飾片（例えば、ベルト１８の小片や、特定のマーク等が刻印された金属プレート等）が貼着されるようになっている。
【００２９】
さらにこの実施例では、カバー部材９の部分９ｂの一対の側壁１１ａ、１１ｂが上端に細長平板状の延長部分１７ａ、１７ｂを有しており、これらの延長部分１７ａ、１７ｂによって閉じられた一対の側壁１１ａ、１１ｂの間隙部分が、ベルト１８の先端部１８ａをカバー部材９の一対の側壁１１ａ、１１ｂ間に案内するベルト挿入口１６を形成している。
【００３０】
こうして、本考案によるベルト用バックルは、部品数が少なく、また構造が簡単であるから、低コストで製造することができる。また、ベルト１８の基端１８ａおよびベルト１８の先端部１８ｂをいずれもベース部材１の底壁２の内面２ａ側において係止（固定）するようにし、さらに、カバー部材９のベース部材１との連結点をカバー部材９の長さ方向のほぼ中央に位置させる構成としているので、バックルを必要最小限の長さに抑えることがができ、バックルをコンパクトにすることができる。
【００３１】
次に、本考案によるベルト用バックルの使用態様について説明する。
まず、図３（Ｂ）を参照して、カバー部材９が開いた位置まで旋回せしめられ、次いで、ベース部材１の係止部材５が起立位置まで旋回せしめられる。そして、ベルト１８の基端１８ａが、ベース部材１の他端１ｂ側から、ベース部材１および係止部材５間の隙間を通って、一対の垂直壁３ａ、３ｂに沿ってベース部材１内に挿入された後、係止部材５が傾倒位置まで旋回せしめられ、それによって、ベルト１８の基端１８ａがベース部材１に固定される。
【００３２】
次に、図３（Ａ）を参照して、カバー部材９が開いた位置にある状態で、ベルト１８が身体の腰部等の装着対象に巻きつけられ、ベルト１８の先端部１８ｂが、カバー部材９のベルト挿入口１６から挿入され、一対の側壁１１ａ、１１ｂに案内されつつ、係合歯４の傾斜側面およびカバー部材７間の間隙を経て、カバー部材９に挿通される。
【００３３】
さらに、ベルト１８の巻きつけ長さが調整されてベルト１８が装着対象に装着された状態で、カバー部材９が閉じた位置まで旋回せしめられる（図３（Ｃ）参照）。そして、カバー部材９が閉じた位置をとるとき、ベース部材１の係合歯４がベルト１８の先端部１８ｂに食い込み、それによって、ベルト１８の先端部１８ｂがベース部材１およびカバー部材９間に固定される。
【００３４】
このとき、カバー部材９のベース部材１との連結点（リベット１３）をカバー部材９の長さ方向のほぼ中央に位置させているので、ベルト１８が装着対象に装着されてカバー部材９が閉じた位置にあるとき、カバー部材９の連結点に関してベース部材１と反対側の部分９ｂが、連結点を支点とするてこの力点側の腕として機能し、常時カバー部材９を閉じた位置に向けて付勢する回転モーメントを生じさせるので、ベルト１８がバックルに確実に固定され、ベルト１８が容易に外れてしまうことがない。
【００３５】
また、カバー部材９のベース部材１との連結点をカバー部材９の長さ方向のほぼ中央に位置させているので、ベルト１８の装着状態において、ベルト１８の先端部１８ｂが、カバー部材９を開いた位置へ旋回させる向きに引っ張られると、容易に、前記回転モーメントと反対向きの、より大きな回転モーメントが生じて、カバー部材９が開いた位置まで旋回せしめられ、ベルト１８の取り外しが可能となる。
【００３６】
上述の実施例では、係合歯４をベース部材１の底壁２に一体形成したが、係合歯４をベース部材１とは別個に形成し、ベース部材１に固定する構成も可能である。この構成とした実施例を図４に示した。なお、図４中、図１に示したものと同じ構成要素には同一番号を付してある。
【００３７】
図４を参照して、この実施例では、ベース部材１とは別個に形成された係合歯４’は、その平坦な底面がベース部材１の底壁２の内面２ａに接触した状態で、一対の垂直壁３ａ、３ｂ間に嵌め込まれる。係合歯４’は、図１〜図３に示した係合歯４と同様、ベース部材１の幅方向に沿って鋸歯状をなしているとともに、ベース部材１の幅方向に垂直な断面において、ベース部材１の底壁２から遠ざかる向きに先細りとなる楔形状を有している。
【００３８】
係合歯４’は、また、図１〜図３に示した係合歯４と同様、軸方向にのびる貫通穴４ａ’を有している。一方、ベース部材１の一対の垂直壁３ａ、３ｂのそれぞれのベース部材１の一端１ａ側の端には、ベース部材１の幅方向に整合する位置に別の差込穴８ｃ、８ｄが形成されている。
そして、カバー部材９のベース部材１への取付けの際に、カバー部材９の止め穴１２ａ、１２ｂと、ベース部材１の垂直壁３ａ、３ｂの別の差込穴８ｃ、８ｄと、係合歯４’の貫通穴４ａ’とが互いに整合せしめられた状態で、リベット１３が一方の止め穴１２ａから差し込まれ、リベット１３の他方の止め穴１２ｂから突出した部分がつぶされる。
それによって、カバー部材９がベース部材１に対し旋回可能に連結されると同時に、係合歯４’がベース部材１に固定される。
この実施例では、ベース部材１が金属製であり、係合歯４’が合成樹脂製であることが好ましい。
【符号の説明】
【００３９】
１  ベース部材
１ａ  一端
１ｂ  他端
１ｃ  隆起部
２  底壁
２ａ  内面
３ａ、３ｂ  垂直壁
４、４’  係合歯
４ａ、４ａ’  貫通穴
５  係止部材
５ａ  係合歯から遠い方の端
５ｂ  係合歯に近い方の端
５ｃ  屈曲部
６  係止歯
７ａ、７ｂ  支持突起
８ａ、８ｂ  差込穴
８ｃ、８ｄ  別の差込穴
９  カバー部材
９ａ、９ｂ  カバー部材の部分
１０  上壁
１１ａ、１１ｂ  側壁
１２ａ、１２ｂ  止め穴
１３  リベット
１４  装飾用開口
１５  凹部
１６  ベルト挿入口
１７ａ、１７ｂ  延長部分
１８  ベルト
１８ａ  基端
１８ｂ  先端部
【図１】
0003194710.tif 000003
【図２】
0003194710.tif 000004
【図３】
0003194710.tif 000005
【図４】
0003194710.tif 000006